【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第２のキャリアのためのクリアチャネルアセスメント（ＣＣＡ）の結果の指示について第１のキャリアを監視することと、ここで、前記第１のキャリアは、免許された専用スペクトラムの中にあり、前記第２のキャリアは、共有スペクトラムの中にあり、
前記結果の前記指示に基づいて前記第２のキャリアを使用して通信することと、
を備える方法。
【請求項２】
前記第１のキャリア上のブロードキャストチャネルまたはマルチキャストチャネルを監視することをさらに備え、前記第２のキャリアのための前記ＣＣＡの前記結果の前記指示は、前記ブロードキャストチャネルまたは前記マルチキャストチャネルの中にある、請求項１に記載の方法。
【請求項３】
前記ＣＣＡの前記結果の前記指示は、ダウンリンク送信グラントまたはアップリンク送信グラントの少なくとも１つの中にある、請求項１に記載の方法。
【請求項４】
前記ＣＣＡの前記結果の前記指示は、前記第２のキャリアのための前記ＣＣＡが成功したかどうかの指示を備える、請求項１に記載の方法。
【請求項５】
アップリンクサブフレームにおける総確認応答（ＡＣＫ）／否定確認応答（ＮＡＣＫ）ペイロードサイズを、前記第２のキャリアのための前記ＣＣＡが成功したかどうかの前記指示に基づいて決定することをさらに備える、請求項４に記載の方法。
【請求項６】
アップリンクサブフレームにおける前記第２のキャリアのためのチャネル状態情報（ＣＳＩ）フィードバックを、前記第２のキャリアのための前記ＣＣＡが成功したかどうかの前記指示に基づいて決定することをさらに備える、請求項５に記載の方法。
【請求項７】
前記ＣＣＡは、拡張ＣＣＡ（ＥＣＣＡ）動作の一部である、請求項１に記載の方法。
【請求項８】
前記ＣＣＡは、基地局またはユーザ機器によって実行される、請求項１に記載の方法。
【請求項９】
前記指示に基づいて前記第２のキャリアを使用して通信することはさらに、
セルラーネットワークトラフィック、セルラーネットワークシグナリング、または両方を、前記第２のキャリアを使用して通信することを備える、請求項１に記載の方法。
【請求項１０】
ワイヤレス通信のための装置であって、
プロセッサと、
前記プロセッサに結合されたメモリと、を備え、前記プロセッサは、
第２のキャリアのためのクリアチャネルアセスメント（ＣＣＡ）の結果の指示について第１のキャリアを監視し、ここで、前記第１のキャリアは、免許された専用スペクトラムの中にあり、前記第２のキャリアは、共有スペクトラムの中にあり、
前記指示に基づいて前記第２のキャリアを使用して通信する、
ように構成される、装置。
【請求項１１】
前記プロセッサはさらに、
前記第１のキャリア上のブロードキャストチャネルまたはマルチキャストチャネルを監視するように構成され、前記第２のキャリアのための前記ＣＣＡの前記結果の前記指示は、前記ブロードキャストチャネルまたは前記マルチキャストチャネルの中にある、請求項１０に記載の装置。
【請求項１２】
前記ＣＣＡの前記結果の前記指示は、ダウンリンク送信グラントまたはアップリンク送信グラントの少なくとも１つの中にある、請求項１０に記載の装置。
【請求項１３】
前記ＣＣＡの前記結果の前記指示は、前記第２のキャリアのための前記ＣＣＡが成功したかどうかの指示を備える、請求項１０に記載の装置。
【請求項１４】
前記プロセッサはさらに、
アップリンクサブフレームにおける総確認応答（ＡＣＫ）／否定確認応答（ＮＡＣＫ）ペイロードサイズを、前記第２のキャリアのための前記ＣＣＡが成功したかどうかの前記指示に基づいて決定するように構成される、請求項１３に記載の装置。
【請求項１５】
前記プロセッサはさらに、
アップリンクサブフレームにおける前記第２のキャリアのためのチャネル状態情報（ＣＳＩ）フィードバックを、前記第２のキャリアのための前記ＣＣＡが成功したかどうかの前記指示に基づいて決定するように構成される、請求項１４に記載の装置。
【請求項１６】
ワイヤレス通信のための方法であって、
共有スペクトラムの第２のキャリアのためのクリアチャネルアセスメント（ＣＣＡ）を実行することと、
第１のキャリア上で前記第２のキャリアのための前記ＣＣＡの結果の指示を送信することと、
を備え、前記第１のキャリアは、免許された専用スペクトラムの中にある、方法。
【請求項１７】
前記第１のキャリア上でブロードキャストチャネルまたはマルチキャストチャネルを送信することをさらに備え、前記第２のキャリアのための前記ＣＣＡの前記結果の前記指示は、前記ブロードキャストチャネルまたは前記マルチキャストチャネルの中にある、請求項１６に記載の方法。
【請求項１８】
前記ＣＣＡの前記結果の前記指示は、ダウンリンク送信グラントまたはアップリンク送信グラントの少なくとも１つの中にある、請求項１６に記載の方法。
【請求項１９】
前記ＣＣＡの前記結果の前記指示は、前記第２のキャリアのための前記ＣＣＡが成功したかどうかの指示を備える、請求項１６に記載の方法。
【請求項２０】
アップリンクサブフレームにおける総確認応答（ＡＣＫ）／否定確認応答（ＮＡＣＫ）ペイロードサイズを、前記第２のキャリアのための前記ＣＣＡが成功したかどうかの前記指示に基づいて決定することをさらに備える、請求項１９に記載の方法。
【請求項２１】
アップリンクサブフレームにおける前記第２のキャリアのためのチャネル状態情報（ＣＳＩ）フィードバックを、前記第２のキャリアのための前記ＣＣＡが成功したかどうかの前記指示に基づいて決定することをさらに備える、請求項２０に記載の方法。
【請求項２２】
前記ＣＣＡは、拡張ＣＣＡ（ＥＣＣＡ）動作の一部である、請求項１６に記載の方法。
【請求項２３】
セルラーネットワークトラフィック、セルラーネットワークシグナリング、または両方を、前記第２のキャリアを使用して通信することをさらに備える、請求項１６に記載の方法。
【請求項２４】
ワイヤレス通信のための装置であって、
プロセッサと、
前記プロセッサに結合されたメモリと、を備え、前記プロセッサは、
共有スペクトラムの第２のキャリアのためのクリアチャネルアセスメント（ＣＣＡ）を実行し、
第１のキャリア上で前記第２のキャリアのための前記ＣＣＡの結果の指示を送信する
ように構成され、前記第１のキャリアは、免許された専用スペクトラムの中にある、装置。
【請求項２５】
前記プロセッサはさらに、
前記第１のキャリア上でブロードキャストチャネルまたはマルチキャストチャネルを送信するように構成され、前記第２のキャリアのための前記ＣＣＡの前記結果の前記指示は、前記ブロードキャストチャネルまたは前記マルチキャストチャネルの中にある、請求項２４に記載の装置。
【請求項２６】
前記ＣＣＡは、拡張ＣＣＡ（ＥＣＣＡ）動作の一部である、請求項２４に記載の装置。
【請求項２７】
前記プロセッサはさらに、
アップリンクサブフレームにおける総確認応答（ＡＣＫ）／否定確認応答（ＮＡＣＫ）ペイロードサイズを、前記第２のキャリアのための前記ＣＣＡの前記結果の前記指示に基づいて決定するように構成される、請求項２４に記載の装置。
【請求項２８】
前記プロセッサはさらに、
アップリンクサブフレームにおける前記第２のキャリアのためのチャネル状態情報（ＣＳＩ）フィードバックを、前記第２のキャリアのための前記ＣＣＡの前記結果の前記指示に基づいて決定するように構成される、請求項２４に記載の装置。
【手続補正２】
【補正対象書類名】明細書
【補正対象項目名】０２８２
【補正方法】変更
【補正の内容】
【０２８２】
[0318]本開示の前述の説明は、当業者が本開示を作製または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。したがって、本開示は、本明細書で説明される例および設計に限定されるべきでなく、本明細書で開示される原理および新規の特徴に一致する最も広い範囲を与えられるべきである。
以下に本願の出願当初の特許請求の範囲に記載された発明を付記する。
［Ｃ１］
ワイヤレス通信のための方法であって、
第２のキャリアのためのクリアチャネルアセスメント（ＣＣＡ）の指示について第１のキャリアを監視することと、ここで、前記第２のキャリアは共有スペクトラムの中にあり、
前記指示に基づいて前記第２のキャリアを使用して通信することと、
を備える方法。
［Ｃ２］
前記第１のキャリア上のブロードキャストチャネルまたはマルチキャストチャネルを監視することをさらに備え、前記第２のキャリアのための前記ＣＣＡの前記指示は前記ブロードキャストチャネルまたは前記マルチキャストチャネルの中にある、Ｃ１に記載の方法。
［Ｃ３］
前記ＣＣＡの前記指示は、ダウンリンク送信グラントまたはアップリンク送信グラントの少なくとも１つの中にある、Ｃ１に記載の方法。
［Ｃ４］
前記ＣＣＡの前記指示は、前記第２のキャリアのための前記ＣＣＡが成功したかどうかの前記指示を備える、Ｃ１に記載の方法。
［Ｃ５］
アップリンクサブフレームにおける総確認応答（ＡＣＫ）／否定確認応答（ＮＡＣＫ）ペイロードサイズを、前記第２のキャリアのための前記ＣＣＡが成功したかどうかの前記指示に基づいて決定することをさらに備える、Ｃ４に記載の方法。
［Ｃ６］
アップリンクサブフレームにおける前記第２のキャリアのためのチャネル状態情報（ＣＳＩ）フィードバックを、前記第２のキャリアのための前記ＣＣＡが成功したかどうかの前記指示に基づいて決定することをさらに備える、Ｃ５に記載の方法。
［Ｃ７］
前記ＣＣＡは、拡張ＣＣＡ（ＥＣＣＡ）動作の一部である、Ｃ１に記載の方法。
［Ｃ８］
前記ＣＣＡは、基地局またはユーザ機器によって実行される、Ｃ１に記載の方法。
［Ｃ９］
前記第１のキャリアは、共有スペクトラムの中にある、Ｃ１に記載の方法。
［Ｃ１０］
前記第１のキャリアは、免許された専用スペクトラムの中にある、Ｃ１に記載の方法。
［Ｃ１１］
ワイヤレス通信のための装置であって、
プロセッサと、
前記プロセッサに結合されたメモリと、を備え、前記プロセッサは、
第２のキャリアのためのクリアチャネルアセスメント（ＣＣＡ）の指示について第１のキャリアを監視し、ここで、前記第２のキャリアは共有スペクトラムの中にあり、
前記指示に基づいて前記第２のキャリアを使用して通信する、
ように構成される、装置。
［Ｃ１２］
前記プロセッサはさらに、
前記第１のキャリア上のブロードキャストチャネルまたはマルチキャストチャネルを監視するように構成され、前記第２のキャリアのための前記ＣＣＡの前記指示は、前記ブロードキャストチャネルまたは前記マルチキャストチャネルの中にある、Ｃ１１に記載の装置。
［Ｃ１３］
前記ＣＣＡの前記指示は、ダウンリンク送信グラントまたはアップリンク送信グラントの少なくとも１つの中にある、Ｃ１１に記載の装置。
［Ｃ１４］
前記ＣＣＡの前記指示は、前記第２のキャリアのための前記ＣＣＡが成功したかどうかの前記指示を備える、Ｃ１１に記載の装置。
［Ｃ１５］
前記プロセッサはさらに、
アップリンクサブフレームにおける総確認応答（ＡＣＫ）／否定確認応答（ＮＡＣＫ）ペイロードサイズを、前記第２のキャリアのための前記ＣＣＡが成功したかどうかの前記指示に基づいて決定するように構成される、Ｃ１４に記載の装置。
［Ｃ１６］
前記プロセッサはさらに、
アップリンクサブフレームにおける前記第２のキャリアのためのチャネル状態情報（ＣＳＩ）フィードバックを、前記第２のキャリアのための前記ＣＣＡが成功したかどうかの前記指示に基づいて決定するように構成される、Ｃ１５に記載の装置。
［Ｃ１７］
ワイヤレス通信のための方法であって、
共有スペクトラムの第２のキャリアのためのクリアチャネルアセスメント（ＣＣＡ）を実行することと、
第１のキャリア上で前記第２のキャリアのための前記ＣＣＡの指示を送信することと、
を備える、方法。
［Ｃ１８］
前記第１のキャリア上でブロードキャストチャネルまたはマルチキャストチャネルを送信することをさらに備え、前記第２のキャリアのための前記ＣＣＡの前記指示は前記ブロードキャストチャネルまたは前記マルチキャストチャネルの中にある、Ｃ１７に記載の方法。
［Ｃ１９］
前記ＣＣＡの前記指示は、ダウンリンク送信グラントまたはアップリンク送信グラントの少なくとも１つの中にある、Ｃ１７に記載の方法。
［Ｃ２０］
前記ＣＣＡの前記指示は、前記第２のキャリアのための前記ＣＣＡが成功したかどうかの指示を備える、Ｃ１７に記載の方法。
［Ｃ２１］
アップリンクサブフレームにおける総確認応答（ＡＣＫ）／否定確認応答（ＮＡＣＫ）ペイロードサイズを、前記第２のキャリアのための前記ＣＣＡが成功したかどうかの前記指示に基づいて決定することをさらに備える、Ｃ２０に記載の方法。
［Ｃ２２］
アップリンクサブフレームにおける前記第２のキャリアのためのチャネル状態情報（ＣＳＩ）フィードバックを、前記第２のキャリアのための前記ＣＣＡが成功したかどうかの前記指示に基づいて決定することをさらに備える、Ｃ２１に記載の方法。
［Ｃ２３］
前記ＣＣＡは、拡張ＣＣＡ（ＥＣＣＡ）動作の一部である、Ｃ１７に記載の方法。
［Ｃ２４］
前記第１のキャリアは、共有スペクトラムの中にある、Ｃ１７に記載の方法。
［Ｃ２５］
前記第１のキャリア、は免許された専用帯域の中にある、Ｃ１７に記載の方法。
［Ｃ２６］
ワイヤレス通信のための装置であって、
プロセッサと、
前記プロセッサに結合されたメモリと、を備え、前記プロセッサは、
共有スペクトラムの第２のキャリアのためのクリアチャネルアセスメント（ＣＣＡ）を実行し、
第１のキャリア上で前記第２のキャリアのための前記ＣＣＡの指示を送信する
ように構成される、装置。
［Ｃ２７］
前記プロセッサはさらに、
前記第１のキャリア上でブロードキャストチャネルまたはマルチキャストチャネルを送信するように構成され、前記第２のキャリアのための前記ＣＣＡの前記指示は前記ブロードキャストチャネルまたは前記マルチキャストチャネルの中にある、Ｃ２６に記載の装置。
［Ｃ２８］
前記ＣＣＡは、拡張ＣＣＡ（ＥＣＣＡ）動作の一部である、Ｃ２６に記載の装置。
［Ｃ２９］
前記プロセッサはさらに、
アップリンクサブフレームにおける総確認応答（ＡＣＫ）／否定確認応答（ＮＡＣＫ）ペイロードサイズを、前記第２のキャリアのための前記ＣＣＡの前記指示に基づいて決定するように構成される、Ｃ２６に記載の装置。
［Ｃ３０］
前記プロセッサはさらに、
アップリンクサブフレームにおける前記第２のキャリアのためのチャネル状態情報（ＣＳＩ）フィードバックを、前記第２のキャリアのための前記ＣＣＡの前記指示に基づいて決定するように構成される、Ｃ２６に記載の装置。